(57)【要約】【課題】  波板壁等の通常は設置が困難な外面に、簡単、短時間、低コストで確実に太陽電池ぱねるを設置することができる太陽電池パネルの取付構造を提供する。【解決手段】  建物等の骨材部に沿うように、複数の止め具を介して支持される波板壁と、  波板壁の外面側に支持される太陽電池パネル枠であり、棒状部材を平面枠状に組み付けた線条フレーム枠に、太陽電池を可撓性シート体に支持させたシート状の太陽電池パネルを張設した太陽電池パネル枠と、  建物等の骨材部に脱着自在に取り付けられて波板壁を支持する複数の脱着支持具であり、波板壁を打抜き方向に貫通した突設部に波板壁の外面側に太陽電池パネル枠を着脱自在に連結する着脱連結部を有する脱着支持具と、を備える。波板壁を打抜き方向に貫通した突設部構成を利用することで、波板壁自体や脱着支持具も特殊なものを用いることなく、低コストで太陽電池パネル張設を行なうことができる。【選択図】図１
0003167143.tif 000002
【実用新案登録請求の範囲】
【請求項１】
建物等の骨材部に沿うように、複数の止め具を介して支持される波板壁と、
波板壁の外面側に支持される太陽電池パネル枠であり、棒状部材を平面枠状に組み付けた線条フレーム枠に、太陽電池を可撓性シート体に支持させたシート状の太陽電池パネルを張設した太陽電池パネル枠と、
建物等の骨材部に脱着自在に取り付けられて波板壁を支持する複数の脱着支持具であり、波板壁を打抜き方向に貫通した突設部に波板壁の外面側に太陽電池パネル枠を着脱自在に連結する着脱連結部を有する脱着支持具と、を備えたことを特徴とする太陽電池パネルの取付構造。
【請求項２】
着脱連結部は、太陽電池パネル枠の横フレームと連結して太陽電池パネル枠を着脱自在に連結支持することを特徴とする請求項１記載の太陽電池パネルの取付構造。
【請求項３】
着脱連結部は脱着支持具本体に対して着脱自在に取り付けられていることを特徴とする請求項１又は２記載の太陽電池パネルの取付構造。
【請求項４】
着脱連結部は波板壁の外面側に面合わせ状に架設される太陽電池パネル枠の横フレームに沿う孔芯を有するリング部材からなることを特徴とする請求項１ないし３のいずれかに記載の太陽電池パネルの取付構造。
【請求項５】
リング部材の孔に挿通される支持棒と、該支持棒に沿わせて配置した太陽電池パネル枠の横フレームを支持棒とともに結束固定させる結束部材と、を含むことを特徴とする請求項１ないし４のいずれかに記載の太陽電池パネルの取付構造。
【請求項６】
着脱連結部は、太陽電池パネル枠の横フレームを載置支持する上部開口のＣ形又はフック形部材からなることを特徴とする請求項１ないし３のいずれかに記載の太陽電池パネルの取付構造。
【請求項７】
脱着支持具は、波板壁を支持する複数の止め具に代えて波板壁への既設の貫通孔を利用してその突設部の着脱連結部に太陽電池パネル枠を支持させてなることを特徴とする請求項１ないし６のいずれかに記載の太陽電池パネルの取付構造。
【考案の詳細な説明】
【技術分野】
【０００１】
本考案は、建物の壁等、特に建物等骨材に支持させた波板材の外面側に太陽電池パネルを取り付けるための太陽電池パネルの取付装置に関する。
【背景技術】
【０００２】
石油資源の枯渇や地球温暖化等の地球環境の面から、石油資源に替わるクリーンなエネルギーの研究開発が進められている。特に、太陽電池は、エネルギー源となる太陽光を容易に得やすく、温暖化ガスを排出しないうえ、設備の設置も比較的簡単であることから新エネルギーの期待度及び実際の需要も大きい。従来、太陽電池パネルは、太陽電池セルを透明ガラス等で挟持して保護し金属枠材や裏板等に組み付けてパネル化されていたことから、パネル自体の重量が重く、屋根等の構造物に取り付けるための架台も強固な構造とする必要があった。ところで、太陽電池パネルの設置場所については屋根面上に限ることなく、建物の壁面部分についても豊富な太陽光の入射量が望める部分等には設置したい要請がある。そして、平面壁であればその平面壁にアンカー部材その他の何らかの支持部材を固定し、それを用いて太陽電池パネルを支持することが考えられる。一方、平面壁ではなく、既にスレートや耐候性樹脂などによる波板の簡易壁面の外面側には、支持手段がなく、これまではそれらの外面側に太陽電池パネルを取り付けることが困難であった。これに対し、従来、例えば特許文献１の技術が提案されている。
【先行技術文献】
【特許文献】
【０００３】
【特許文献１】特開２００７−１９２００１号公報
【考案の概要】
【考案が解決しようとする課題】
【０００４】
特許文献１の太陽電池パネルの取付構造は、太陽電池モジュールの周縁に周枠を設けて太陽電池パネルを形成し、前記周枠に挿通孔付きのフランジを設け、フランジを介して建物の屋根に直接ビス等で固定するものであった。このため、特許文献１の太陽電池パネルの取り付け構造では、太陽電池パネル自体及びそれを囲む周枠等各部材の重量が重く、建物の壁等に設置する際には壁側に大きな負荷がかかるものであった。さらに、１つの太陽電池パネルについて、確実に固定するために多数のビスを壁に固定する必要があり、軽量な波板材の外面側に支持することは困難であった。また、この特許文献１の装置では、多数のビス孔等を穿孔することで躯体壁面等に多数の傷を付けるとともに、一度に取り付けできる太陽電池パネルの面積も比較的狭くなり、取付作業が煩雑で作業効率も悪く、労力、時間がかかっていた。さらに、建物の壁のメンテナンスの際に、太陽電池パネルを取り外す必要がある際にも作業が煩雑で労力、時間がかかるうえ、壁側にビス孔が残るので、一旦取り外した後に再び同じ位置に取り付けるのが困難となったり、壁を早期に劣化させる等の問題を生じるものであった。
【０００５】
本考案は上記従来の課題に鑑みてなされたものであり、その一つの目的は、通常は設置が困難な波板壁等の外面に太陽電池パネルを簡単、短時間で確実に設置でき、かつ低コストで太陽電池パネルを設置することができる太陽電池パネルの取付構造を提供することにある。
【課題を解決するための手段】
【０００６】
上記課題を解決するために本考案は、建物等の骨材部１２に沿うように、複数の止め具２０を介して支持される波板壁１４と、波板壁の外面側に支持される太陽電池パネル枠であり、棒状部材を平面枠状に組み付けた線条フレーム枠２７に、太陽電池３２を可撓性シート体３４に支持させたシート状の太陽電池パネル１７を張設した太陽電池パネル枠１６と、建物等の骨材部１２に脱着自在に取り付けられて波板壁１４を支持する複数の脱着支持具であり、波板壁１４を打抜き方向に貫通した突設部４２に波板壁１４の外面側に太陽電池パネル枠１６を着脱自在に連結する着脱連結部４４を有する脱着支持具１８と、を備えた太陽電池パネルの取付構造１０から構成される。
【０００７】
その際、着脱連結部４４は、太陽電池パネル枠１６の横フレーム２７１，２７２と連結して太陽電池パネル枠１６を着脱自在に連結支持する構成とするとよい。
【０００８】
また、着脱連結部４４は脱着支持具１８本体に対して着脱自在に取り付けられた構成とするよい。
【０００９】
また、着脱連結部４４は波板壁１４の外面側に面合わせ状に架設される太陽電池パネル枠１６の横フレーム２７１、２７２に沿う孔芯２００を有するリング部材４６からなるようにすると良い。
【００１０】
また、リング部材４６の孔４７に挿通される支持棒５０と、該支持棒に沿わせて配置した太陽電池パネル枠１６の横フレーム２７１、２７２を支持棒５０とともに結束固定させる結束部材３０と、を含むとよい。
【００１１】
また、着脱連結部４４は、太陽電池パネル枠１６の横フレーム２７１、２７２を載置支持する上部開口のＣ形又はフック形部材からなることとするとよい。
【００１２】
また、脱着支持具１８は、波板壁１４を支持する複数の止め具２に代えて波板壁１４への既設の貫通孔１４１を利用してその突設部４２の着脱連結部４４に太陽電池パネル枠１６を支持させるようにするとよい。
【考案の効果】
【００１３】
本考案の太陽電池パネルの取付構造によれば、建物等の骨材部に沿うように、複数の止め具を介して支持される波板壁と、波板壁の外面側に支持される太陽電池パネル枠であり、棒状部材を平面枠状に組み付けた線条フレーム枠に、太陽電池を可撓性シート体に支持させたシート状の太陽電池パネルを張設した太陽電池パネル枠と、建物等の骨材部に脱着自在に取り付けられて波板壁を支持する複数の脱着支持具であり、波板壁を打抜き方向に貫通した突設部に波板壁の外面側に太陽電池パネル枠を着脱自在に連結する着脱連結部を有する脱着支持具と、を備えた構成であるから、波板壁を支持する骨材を用い、さらに波板壁を打抜き方向に貫通支持させた脱着支持具を用い、かつ、波板壁自体を既存あるいは新設で設置保持させた状態を保ちながら、簡単、短時間の操作と軽量、低コスト施工により波板壁外面に確実に太陽電池パネルを取り付けることが可能である。
【００１４】
また、着脱連結部は、太陽電池パネル枠の横フレームと連結して太陽電池パネル枠を着脱自在に連結支持する構成であるから、例えばリング形やＣ字あるいはフック形などの簡単な形状の構造部品のみで太陽電池パネル枠との連結構成を形成することができ、支持部分の軽量化、作業の簡単化、低コスト化に資する。
【００１５】
また、着脱連結部は脱着支持具本体に対して着脱自在に取り付けられている構成とすることにより、脱着支持具を波板壁を貫通して突設させ、その突設端側に着脱連結部を取り付ける構造を具体的あるいは円滑に実現することができる。また、太陽電池パネル枠の着脱を実現でき、波板壁の表面側への取り付けあるいは取り外し作業を具体的に実現することができる。
【００１６】
また、着脱連結部は波板壁の外面側に面合わせ状に架設される太陽電池パネル枠の横フレームに沿う孔芯を有するリング部材からなる構成であるから、結束部材などを用いて太陽電池パネル枠の横フレームに直接に連結させ得るばかりでなく、支持棒を同芯で離隔した複数のリング孔に挿通させて支持させることにより、横フレームとの結束位置を数多く、かつ任意の位置に設定することができ、連結操作の自由性が確保されて結束容易、作業時間短縮を達成し得る。
【００１７】
また、リング部材の孔に挿通される支持棒と、該支持棒に沿わせて配置した太陽電池パネル枠の横フレームを支持棒とともに結束固定させる結束部材と、を含む構成であるから、
結束構成についての構造の軽量化を実現し得るとともに、構造が簡単、低コスト、作業性向上を達成し得る。
【００１８】
また、着脱連結部は、太陽電池パネル枠の横フレームを載置支持する上部開口のＣ形又はフック形部材からなる構成であるから、高所位置等でのパネル枠の架設作業時に太陽電池パネル枠の横フレームをＣ形あるいはフック形の受部にいったん載置させた状態で係止できるので、その状態で直接に各横フレームとＣ形部分あるいはフック形部分を結束部材で結束でき、太陽電池パネル枠の取付作業を円滑、短時間に完了させることができる。
【００１９】
また、脱着支持具は、波板壁を支持する複数の止め具に代えて波板壁への既設の貫通孔を利用してその突設部の着脱連結部に太陽電池パネル枠を支持させる構成とすることにより、既設の波板壁取付位置の外面に簡単に太陽電池パネル枠を支持させることができる。特に、既設の止め具の残ねじ部に螺合するねじ形状のリング部材や上向き開口部材を用いることにより、大幅な施工コストダウンを達成することが可能である。
【図面の簡単な説明】
【００２０】
【図１】本考案の第１の実施形態に係る太陽電池パネルの取付構造の一部省略要部拡大斜視図である。
【図２】図１の太陽電池パネル枠の正面図である。
【図３】図１の太陽電池パネル枠の背面図である。
【図４】図２の太陽電池パネル枠のＡ−Ａ線拡大断面図である。
【図５】図１の太陽電池パネル枠と脱着支持具との結合関係を示す概略斜視説明図である。
【図６】図５の脱着支持具の分解斜視図である。
【図７】図１の太陽電池パネル枠と着脱連結部との連結状態を示す一部省略拡大斜視図である。
【図８】第２実施形態に係る太陽電池パネル枠と脱着支持具との連結関係を示す概略斜視説明図である。
【図９】第２実施形態に係る脱着支持具の分解斜視図である。
【考案を実施するための形態】
【００２１】
以下、添付図面を参照しつつ本考案の太陽電池パネルの取付構造の実施の形態について説明する。本実施形態の太陽電池パネルの取付構造は、例えば、建物の壁や屋根面等で鉄骨、鋼板材、木材などに波板材を支持させて張架させた部分の外面側に太陽電池を設置する手段である。図１ないし図７は、本考案の太陽電池パネルの取付構造の第１の実施形態を示している。図１ないし図４に示すように、本実施形態において、太陽電池パネルの取付構造１０は、建物等の骨材部１２に支持される波板壁１４と波板壁１４の外面側に支持される太陽電池パネル枠１６と、骨材部１２を介して太陽電池パネル枠１６を着脱自在に支持する脱着支持具１８と、を備えている。
【００２２】
本実施形態において、太陽電池パネルの取付場所は、特に、建物等の骨材部に支持されて設けられた波板壁の外面側に設置されるものであり、表面がコルゲート状に凹凸部を繰り返して形成された、通常は平板状の太陽電池パネルを架設することが困難な簡易壁面や屋根面等の外面側である。建物等の骨材部は、例えば躯体自体の構造材の露出部分、農業用ハウスの壁面、家畜の飼育小屋等の壁面、その他の小屋、建物のベランダやテラス等の付設部分で組み立てた骨組み部分などがある。波板壁は、波状の凹凸部分を連続して形成した薄板部材であり例えば骨材で囲まれた部分の外面側に例えば垂直状に支持して骨材内部空間等を被覆する。波板壁１４の波板材としては、例えば亜鉛メッキ鋼板からなるトタン、ポリカーボネイト、ガラス繊維入り硬質塩化ビニル等の合成樹脂製の波板材、スレート材などがある。本実施形態においてはポリカーボネイト製の合成樹脂製の波板材による波板壁が例えば垂直状壁面を形成するように張架されている。
【００２３】
図１、図４において、骨材部１２の骨材１２１として本実施形態では、Ｃチャネル型鋼が用いられており、このＣチャネル型鋼を縦横に組み付けてその一部の３本の横長骨材１２１Ａ、１２１Ｂ、１２１Ｃが相互に上下方向に略等間隔位置で設置されている。そして、波板壁１４は、建物等の骨材部１４に面状に沿うように配置された状態で複数の止め具２０で骨材部を支持基部として係止されている。複数の止め具２０は相互の横方向間隔を２０ｃｍ〜３０ｃｍ程度で設置されている。すなわち、図１において、止め具２０は、例えば図６のフックボルト２２と締着ナット２４で間に波板壁１４を挟み込んで締め付けることにより、骨材部１２に沿って波板壁１４を地面上方位置で地面に略垂直状態として太陽電池パネルを支持する。これらの止め具２０は、波板壁１４全体にわたって相互に略一定間隔で多数個が縦横整列位置に取り付けられており、これらの全体の止め具２０の係止力により波板壁１４全体が板面を横に向けた縦方向に支持されている。
【００２４】
波板壁１４の外面側において地面に対して垂直状に支持される太陽電池パネル枠１６は、
薄くて軽量で可撓性を有するシート状に形成された太陽電池パネル１７を線条枠に支持させて軽量でコンパクトな太陽電池パネル張設用の線条枠体として構成したものであり、図３（背面図）に示すように、例えば上下の横フレーム２７１，２７２，左右のたてフレーム２７３，２７４からなる線条の四周フレーム枠２７の内部を１つの縦フレーム２７５と、２つの横フレーム２７６，２７７で６等分割するように線条フレームを組み付け、表面側に３個の横長の可撓製太陽電池パネル１７を上下方向に並列させ相互に密接状に取り付けている。各太陽電池パネル１７の四周フレーム枠２７への取り付けは、図７に示すように、四周フレーム枠２７の内側に太陽電池パネル１７を配置し、該太陽電池パネル１７の周縁部分に設けた支持用孔２８を通して結束部材３０で四周フレーム枠２７に巻き付け連結されて取り付けられる。四周フレーム枠２７及び縦横の内側各フレーム２７５〜２７７は、鉄筋等の棒状部材を平面枠状に組み付けたものであり、太陽電池パネル１７の支持体全体として軽量化が図られている。実施形態において、四周フレーム枠２７は、例えば、３枚の横長太陽電池パネル１２を縦に並べた矩形状の大きさに対応して、縦方向の長さが約１．５ｍ程度、横方向の長さが約２ｍ程度の外枠を形成するように構成されている。
【００２５】
図１、図４、図７に示すように、太陽電池パネル１７は、太陽電池３２を可撓性シート体に支持させてシート状に設けられている。本実施形態では、太陽電池パネルは、例えば、プラスチック製薄膜フィルム等からなる可撓性を有する絶縁性基板上にアモルファスシリコン系太陽電池を形成したものが利用される。例えば、太陽電池パネル１７は、太陽電池３２の裏面（非受光面）側に該太陽電池３２が配置される部分より若干大きな横長矩形状のプラスチック等の合成繊維からなる可撓性シート体３４が固定されることにより、太陽電池３２が可撓性シート体３４に担持されている。本実施形態では、例えば、３枚の横長の太陽電池パネル１７を並列させた状態で四周フレーム枠２７に支持されて、一つのユニットを構成している。それぞれの太陽電池パネル１７は、例えば、縦幅が約５０ｃｍ程度、横幅が約２ｍ程度の大きさの横長矩形状に形成されている。３枚の太陽電池パネル１７を縦に並列させた状態では、縦幅が約１．５ｍ程度、横幅が約２ｍ程度の大きさの矩形状となる。それぞれの太陽電池パネル１７には、可撓性シート体３４の長手方向の両端部側に正極（＋）と負極（−）の端子部３６Ｐ、３６Ｍが設けられており、電気的に直列接続となるように太陽電池パネル１７の裏面側で図示しないコードを介して接続されている。さらに、太陽電池パネル１７の可撓性シート体３４の外縁側には、所定間隔で複数の支持用孔２８が形成されている。支持用孔２８は、例えば、円形孔からなり、横長矩形状の可撓性シート体２６の４つの隅部位置にそれぞれ１個、短辺側の中間位置に１個、長辺側の中間位置に略等間隔で離隔して３個ずつ形成されている。
【００２６】
結束部材３０は、支持用孔１６を介して太陽電池パネル１２と線条フレーム１４とを結束する軽量の結束手段である。すなわち、結束部材３０は、ビス等を使わずに太陽電池パネル１７を四周フレーム枠２７に簡単に支持させるための支持手段となっている。本実施形態では、図７に示すように、結束部材３０は、例えば、耐候性のある樹脂で形成されるとともにある程度自在に撓む、インシュロック等の結束バンドからなる。なお、金属線などを用いても良い。結束部材３０は、図７に示すように、太陽電池パネル１７の支持用孔２８を挿通させるとともに四周フレーム枠２７の棒状部材の周りに巻回した状態で、そのバンド両端部を接続して環状に回して結束される。
【００２７】
図４ないし図６において、太陽電池パネル枠１６は、複数の脱着支持具１８を介して波板壁１４の外面側において波板壁１４と少しの間隙をあけて面合わせ状に取付支持される。脱着支持具１８は、それ自体は骨材部１２に脱着自在に取り付けられるとともに、波板壁１４を貫通した突設部４２に太陽電池パネル枠１６を着脱自在に連結支持する部位を有する太陽電池パネル枠１６の支持手段であり、特に、本実施形態においては波板壁１４自体の支持を同時に行なって波板壁の止め具２０と意匠上違和感なく適用しうるとともに、波板壁の止め具２０による支持力を利用して太陽電池パネル枠１６の支持を行なう。脱着支持具１８は、既存の骨材などに後付で取り付けることができる。さらに、本実施形態では後述するように、骨材に孔明けや溶接等により骨材自体を加工したり材料付加することなく、簡単に脱着することができる。
【００２８】
図１ないし図４の実施形態では、脱着支持具１８は、上横フレーム２７１に５個、下横フレームに３個取り付けられて、これらにより１つの太陽電池パネル枠１６を支持している。なお、１つの太陽電池パネル枠１６を支持するための脱着支持具１８の個数は適宜四周フレーム枠２７の支持強度を考慮して任意に設定することができる。
【００２９】
実施形態において、脱着支持具１８は、それ自体を骨材部１２に脱着自在に取り付ける脱着基体４０と、突設部４２と、着脱連結部４４とを含む。本実施形態において脱着基体４０は、全体としては軸体の一部を曲げて形成されており、具体的には図６に示すように棒材の一端側のフック部４０１と、他端側にねじ部４０２を形成した突設部４２と、ねじ部４０２に螺合する締着ナット２４と、を有している。図４，５に示すように、骨材としてのＣチャネル部材１２１の開口側の１つの対向片にフック部４０１を引っ掛け、他端のねじ部４０２を、波板壁の所要位置に穿孔した孔１４１を通して打抜き方向に貫通させ、突出したねじ部に締着ナット２４を螺着させて締着ナット２４とＣチャネル部材１２１との間に波板壁１４を挟み付けて締着固定する。なお、４０５，４０６はワッシャとスペーサである。波板壁１４の孔１４１とＣチャネル部材１２１との高さをあわせれば、任意の位置に脱着支持具１８をＣチャネル部材を傷つけたり材料付加したりすることなく取り付けることができ、また、離脱も簡単に行なえるので、支持位置の変更も簡単に行なうことができる。本実施形態において、脱着支持具１８は、いわゆるＪタイプのボルト・ナットであり、これに限らずその他直角状に曲げられたフックボルト・ナット等も同様の操作で用いることができる。波板壁１４を締着ナット２４とＣチャネル部材１２１間に挟み付けた状態で締着ナット２４をねじ部４０２に螺着させ、締め付けると、さらに波板壁１４の打抜き方向に突設部４２の先端部に残ねじ部４０７が形成される。脱着支持具１８は、骨材を支持の足がかりとして波板壁１４の貫通先端側に着脱連結部４４を設けるものであれば良く、骨材に孔を開孔し（例えばＣチャネル部材の波板壁寄りの立ち上がり片）ておいて通常のボルトナットで締結する構成としてもよい。脱着支持具１８は、波板壁１４を支持する複数の止め具２０を取り外し、その際の波板壁１４への既設の貫通孔１４１を利用してその突設部４２の着脱連結部４４に太陽電池パネル枠１６を支持させると、既設の波板壁の設置箇所の外面部分に簡単、短時間でさらに低コストで太陽電池パネルを懸架支持することができる。なお、意匠上などにおいて支障がなければ波板壁１４に新たに貫通用の孔１４１を穿孔して四周フレーム枠２７の支持を行なわせてもよい。
【００３０】
上述のように、実施形態において、脱着支持具１８の突設先端部に着脱連結部４４が設けられている。着脱連結部４４は、脱着基体４０に一体化して設けることもできるが、本実施形態においては、脱着支持具１８の突設先端部に着脱自在に取り付けられている。着脱連結部４４は、太陽電池パネル枠１６を着脱自在に連結する支持体となる部位であり、着脱連結部自体が脱着基体４０に着脱自在であるということではない。
【００３１】
本実施形態において着脱連結部４４は、図５に示すように、突設部４２の残ねじ部４０７に螺着するリング部材４６（例えばアイナット）から構成されている。リング部材４６は、波板壁１４の外面側に面合わせ状に架設される太陽電池パネル枠１６の横フレーム２７１、２７２に沿う孔芯２００を有する孔４７を設けたリング部４８を有する部材からなり、このリング部材４６のリング部４８を基礎として太陽電池パネル枠１６をそのシート状の面を横向きとするように支持させる。
【００３２】
本実施形態において、着脱連結部４４は太陽電池パネル枠１６の上下横フレーム２７１、２７２と連結して太陽電池パネル枠を着脱自在に連結支持するようになっている。太陽電池パネル枠１６の上下横フレーム２７１、２７２と、リング部材４６との連結は、具体的には、リング部材４６の孔４７に挿通される支持棒５０が効果的に用いられる。横一列状の位置に離隔して設置された脱着支持具１８に対応するリング部材４６の同一芯孔位置の孔４７を横通しで挿通して鉄筋などの支持棒５０を係止させる。そして、この支持棒５０に沿って太陽電池パネル枠の上下横フレームを配置させ、その状態で各上下横フレーム２７１、２７２と、支持棒５０の胴側部を結束部材３０により束ねるようにして巻き付けて締着する。太陽電池パネル枠１６の上下横フレーム２７１、２７２をリング部４８に結束部材３０により直接に結束させてもよいが、高所位置での作業の際には、孔芯線と上下横フレーム２７１、２７２が直交状態となっているため、ねじれ状態となり結束作業がしにくい点から、支持棒５０を介して連結するほうが作業性に優れる。
【００３３】
次に、本実施形態に係る太陽電池パネルの取付構造１０により太陽電池パネル１２を波板壁１４の外面側に支持する作業の工程について説明する。例えば、予め工場又は現場の地上側において、結束部材３０を介して太陽電池パネル１７を四周フレーム枠２７に支持し太陽電池パネル枠１６を構成しておく。例えば、建物の南側（南側には限られない）の波板壁１４の外面側において太陽電池パネル枠１６の設置位置に対応する位置であって骨材部１２の骨材１２１からの支持が得られる位置の波板壁１４に貫通孔１４１を穿孔する。この場合、波板壁１４の背後の骨材１２１による支持を得やすくしかも太陽電池パネル枠との連結を行なえる位置に既設の止め具２０などで取り付けられた既設の波板壁外面へ太陽電池パネルの取付を行なう場合には、対応する箇所の止め具２０を取り外し、当該既設の止め具の孔を利用することもできる。それらの止め具と交換に本実施形態の脱着支持具１８を取り付けるようにしても良い。脱着支持具１８は脱着基体４０の突設部側で波板壁１４に形成した貫通孔１４１を貫通させて、突設部４２を波板壁の外面側に突出させる。このとき、フック部４０１をＣチャネル部材１２１の対向片に引っ掛けるとともに間に波板壁１４を挟み付けた状態で締着ナット２４で締着させ、外面側に残ねじ部４０７を形成させる。残ねじ部４０７に着脱連結部４４としてのアイナットを螺着し孔芯２００が横方向を向くようにリング部４８を複数列固定させる。すなわち、複数の着脱連結部４４を一列状に並べて同一の孔芯２００を設定して横方向に向けて上下離隔した位置に複数列を配置する。この状態で、複数のリング部４の孔４７を挿通してそれぞれ上下一対の支持棒５０を係止させる。現実には、太陽電池パネル枠１６の大きさに応じて複数対の支持棒５０が横長状態で架設される。そして、地上側等で組み付けておいた太陽電池パネル１７を支持した太陽電池パネル枠１６を上空に移動して、波板壁１４の外面側での設置位置まで移動させる。太陽電池パネル枠１６を波板壁１４と対向するように立てた状態で壁側に向けて移動し太陽電池パネル枠１６の上横フレーム２７１と下横フレーム２７２の適宜複数箇所を結束部材３０により支持棒５０と上下横フレームを掛け回して巻き付けて結束し固定させる。なお、図４に示すように脱着支持具１８の着脱連結部４４と四周フレーム枠２７との連結は、例えば止め具のピッチ間隔が四周フレーム枠の横フレーム２７１，２７２の長さに割り切れる程度の長さに設定されている場合には、横フレームの両端位置に一致してそれらの位置に対応する止め具位置が設定されるから、左右縦フレーム２７３，２７４の任意の高さ位置で脱着支持具１８との連結が可能となり、この場合には左右縦フレームの任意の高さ中間位置でも結束部材を介して簡単に連結させることができる。なお、図４の例では、左右縦フレーム２７３，２７４の下端位置で連結される場合を示しており、この場合、支持棒５０と縦フレーム２７３，２７４とが結束部材３０により締着固定される。このようにして、地上から高い取付位置において、比較的軽量の太陽電池パネル枠１６について、支持棒５０の芯孔への挿通と、結束部材による横フレームと支持棒との結束作業のみで太陽電池パネル枠の取付支持作業を完了するから、波板壁の表面側において、簡単かつスムーズな作業で、短時間であり、しかも安全に施工することができる。同様に、上記作業を繰り返して、建物の壁の所定の範囲に複数の太陽電池パネルを取り付けていき、太陽電池パネルどうしは電気的に直列で接続しつつ、パワーコンディショナや電力制御装置に接続される。太陽電池パネル枠１６を波板壁１４の表面側に架設した状態では、太陽光パネル枠及び脱着支持具を含む支持のための取付装置全体が軽量であるので、建物の壁側への負荷が比較的小さく、補強や複雑な構造を用いなくても取り付けを可能としうる。また、太陽電池パネル枠又は建物の骨材等の点検やメンテナンス等で太陽電池パネル枠を取り外す際には、上記とは逆の手順で簡単に取り外すことができるとともに、点検、メンテナンス終了後には同様に簡単に取り付けることができる。
【００３４】
次に、図８、図９を参照しつつ、本発明の第２実施形態の太陽電池パネルの取付構造について説明するが、上記した第１実施形態と同一構成、同一部材には、同一符号を付し、その詳細な説明は省略する。図８、９に示すように、本実施形態に係る太陽電池パネルの取付構造１０−２では、脱着支持具１８の着脱連結部４４の構成が第１実施形態とは異なっている。本実施形態では、脱着基体４０と締着ナット２４で波板壁１４を挟み付けた状態の残ねじ部４０７にねじ込み連結される着脱連結部４４は、リング部４８を有するリング部材ではなく、上向き開口のＣ字形あるいはフック形（図示せず）等の上向き開口部材５２から構成されている。この場合、太陽電池パネル枠１６を着脱連結部４４に連結させる作業を行なう際には、図８に示すように、太陽電池パネル枠の線条フレーム２６である上下横フレーム２７１，２７２を、いったん、これらのＣ字形あるいはフック形の開口から載せ掛けて支持させた状態とし、この状態で結束部材３０による結束作業を行なえるので、作業者は簡単な操作で安全に、少ない労力で、しかも短時間に太陽電池パネル枠の取り付け支持を行なうことができる。この場合、結束部材による結束箇所は、これらの着脱連結部４４のＣ字あるいはフック部分と上下の各横フレームを巻き付けて行なわれる。太陽電池パネル枠１６の内側に張設された太陽電池パネル１７は可撓性を有するシート内に太陽電池モジュールを組み込んだものであるから、結束部材で結束させる際に各横フレーム２７１，２７２を少し撓ませて結束させることについては支障なく行なうことができる。この実施形態においても脱連結部４４は脱着支持具に一体構成させてもよいが、Ｃ字あるいはフック形の大きさを波板壁の貫通孔１４１を通過させやすいようにある程度小型化するか、あるいは通りやすい形状に加工することが必要となる。
【００３５】
以上説明した本考案の太陽電池パネルの取付構造は特に、通常は取り付けることが困難な波板壁の外面側に太陽電池パネルを取り付けるものであり、波板壁を貫通する脱着支持具を用いて効率的に太陽電池パネルの取付支持を行なうことができる。本考案の太陽電池パネルの取付構造は、上記した実施形態のみの構成に限定されるものではなく、実用新案登録請求の範囲に記載した本考案の本質を逸脱しない範囲において、任意の改変を行ってもよい。例えば、骨材はＴ形、Ｈ形、Ｉ形鋼材、木材、強化プラスチックなどもある。また、骨材を用いる建物、躯体の用途も住居用、事務所、動物飼育舎、運動場等々問われない。脱着支持具は、フックボルト・ナット機構に限らず、骨材への嵌合、カシメ固定、チェーン、ワイヤ締結固定態様のものを用いることもできる。また、着脱連結部の構造についても、上記実施形態に限られるものではない。また、波板壁は建物側面を囲周する縦壁に限らず、傾斜屋根の外面側に太陽電池パネルを取り付ける場合についても適用することができる。
【産業上の利用可能性】
【００３６】
本考案の太陽電池パネルの取付構造は、例えば、薄くて軽いシート状の太陽電池パネルを建物等の波板壁の外面側に簡単、短時間の作業で確実に取り付けて、効果的に太陽光発電を行うことができる。
【符号の説明】
【００３７】
１０、１０−１    取付構造
１２    骨材部
１４    波板壁
１６    太陽電池パネル枠
１８    脱着支持具
２０    止め具
２４    締着ナット
２７    四周フレーム枠
３２    太陽電池
４０    脱着基体  
４２    突設部
４４    着脱連結部
４６    リング部材
４７    孔
４８    リング部
５０    支持棒
１２１  Ｃチャネル部材
２００  孔芯
２７１，２７２    上下横フレーム
４０１  フック部
４０２  ねじ部
【図１】
0003167143.tif 000003
【図２】
0003167143.tif 000004
【図３】
0003167143.tif 000005
【図４】
0003167143.tif 000006
【図５】
0003167143.tif 000007
【図６】
0003167143.tif 000008
【図７】
0003167143.tif 000009
【図８】
0003167143.tif 000010
【図９】
0003167143.tif 000011